(57)【要約】【課題】本発明は、操作性に優れる指示手段付のロッカースイッチを提供しようとすることを目的とする。【解決手段】ロッカーアーム装置２の両端正面のいずれにも指示手段２２が設置されており、且つ、前記ロッカーアーム装置２の両端近くのいずれか一方が正面から押されてそれと連接している電気装置をオフにした場合、他端だけの指示手段２２を同時にオンにさせることができるように構成されているロッカースイッチ。【選択図】    図１
2007087715.tif 000002
【特許請求の範囲】
【請求項１】
両端下面部にそれぞれ接点手段が一つ設けてあるロッカーアーム装置と前記ロッカーアーム装置の下面側に前記２つの接点手段にそれぞれ対応するように設置されている２つの電気接点とを備えていて前記ロッカーアーム装置の両端近くのいずれかが上面から押されると他端の接点手段がそれと対応している電気接点と互いに接触し、それと連接している電気装置をオン／オフすることができるロッカースイッチにおいて、
前記ロッカーアーム装置の両端上面のいずれにも指示手段が設置されており、且つ、前記ロッカーアーム装置の両端近くのいずれかの一方が上面から押されて他端の接点手段がそれと対応している電気接点と接触して前記電気装置をオフにした場合に他端だけの指示手段を同時にオンにさせることができるように構成されていることを特徴とするロッカースイッチ。
【請求項２】
前記ロッカーアーム装置の両端上面にそれぞれ設置されている前記指示手段は、該両端上面にそれぞれ設けてある透光窓と、該ロッカーアーム装置の両端上面の前記透光窓の下面側にそれぞれ形成してあるランプ室と、該ランプ室のそれぞれの内部に設置されているランプとからなった指示ランプ装置の、前記ランプの投光により透光することができるようになった前記透光窓からなっていることを特徴とする請求項１に記載のロッカースイッチ。
【請求項３】
前記ロッカーアーム装置の下面側に、その上面の両端近くにそれぞれ前記ランプが設けられ、その下面の両端近くにそれぞれ他端の前記ランプに接続されている一対の接触部が設けられている回路基板が、前記ロッカーアーム装置のロッキング運動と共に揺動できるように設置されており、
該回路基板の更なる下面側に、前記ロッカーアーム装置の両端近くのいずれかの一方が上面から押されて他端の接点手段がそれと対応している電気接点と接触して前記電気装置をオフにした場合、弾接により前記一方にある一対の接触部を導通して、他端にあるランプをオンにさせることができる一対の突出端子が設置構成されていることを特徴とする請求項２に記載のロッカースイッチ。
【請求項４】
前記ロッカーアーム装置の両端上面にそれぞれ設置されている前記指示手段は、
該両端上面にそれぞれ設けてある透光窓と、
該ロッカーアーム装置の下面側に、その一端部にランプが設置されており、且つ該端部が前記２つの透光窓の間に揺動できるように設置される上、前記ロッカーアーム装置の両端近くのいずれかの一方が上面から押されて他端の接点手段がそれと対応している電気接点と接触して前記電気装置をオフにした場合、前記ランプをオンにさせると同時に、該ランプのある端部を該ロッカーアームの他端にある透光窓の方に揺らして該ランプの投光を該他端にある透光窓を通過させるように設置構成されている揺動ランプ手段とからなった指示ランプ装置の、前記ランプの投光により透光することができるようになった前記透光窓からなっていることを特徴とする請求項１に記載のロッカースイッチ。
【請求項５】
前記透光窓の外形は、その一角が該透光窓の前記ロッカーアーム装置に存在している一端が浮上端となるとき、該浮上端側へ指す形状であることを特徴とする請求項２〜４のいずれかの一項に記載のロッカースイッチ。
【発明の詳細な説明】
【技術分野】
【０００１】
本発明は、スイッチ装置に係り、特に、指示手段付のロッカースイッチに関する。
【背景技術】
【０００２】
従来から、そのロッカーアーム装置の上面に指示手段が一つ設置されており、且つ、前記ロッカーアーム装置の両端近くのいずれかの一方が上面から押されてそれと連接している電気装置をオフにした場合、前記指示手段を同時にオンにさせることができるように構成されているロッカースイッチがよく使用されている。例えば、階段の上下各端の近くにそれぞれ一つずつ設置され、人が階段を登ったり降りたりする時、もし階段に設けてある照明装置がついていない場合、その両方のロッカースイッチにある指示手段もオン状態にあるので、まず、その一端近くにある一つを容易に押して照明装置を付けてから登ったりまたは降りたりし、そして他端に到達すると、該他端近くにある他の一つを押して照明装置を消すように使用される。
【０００３】
このようなロッカースイッチは、前記のように照明装置に使用される場合、例として、照明装置が２の回路の共通部分に設置され、また、２のロッカースイッチがそれぞれ押圧による切替えで該２の回路を順番に開閉させることができるように設置される外部配線法が挙げられる。この外部配線法で、２の回路のいずれかが２のロッカースイッチの切替えによって導通されると、照明装置がつき、２の回路のいずれも２のロッカースイッチの切替えによって切断されると照明装置が消える。即ち、照明装置がついている場合、２のロッカースイッチは必ず２の回路の一つを導通させている状態にあるので、その時、いずれかのロッカースイッチが切替えられると、該回路は必ず切断され、即ち照明装置は必ず消される。また、照明装置がついていない場合、２のロッカースイッチは必ずいずれの回路をも切断させている状態にあるので、その時、いずれかのロッカースイッチが切替えられると、２の回路の一つは必ず導通され、即ち照明装置は必ずつけられる。
【０００４】
そして、ロッカーアーム装置の上面に設置されている指示手段については、通常、ロッカーアーム装置の内部に設置されている指示ランプよりの透光からなっている上、ロッカーアーム装置の内部機構や内部配線により、２の回路のいずれかが導通されている場合、指示ランプがオフになり、一旦、２つの回路のいずれも切断されると指示ランプがオンになって透光がでてくるという論理構成になるように配置されている。
【０００５】
しかしながら、このような構成によるロッカースイッチは、照明装置がつけられたらその指示手段が同時にオフになるが、照明装置が消されたらその指示手段が同時にオンになって暗いうちにその位置が容易に判明できるようになるとは言え、照明装置が消された際、容易に判明できるのは、ロッカースイッチ全体の大体の位置だけであり、やはり暗いうちに手のタッチでロッカースイッチの姿勢を判断してから浮き上がっている一方を押す必要があり、使用に便利とは言えない。
【発明の開示】
【発明が解決しようとする課題】
【０００６】
上記に鑑みて、本発明は、電気装置、特に照明装置のオフ時にその全体の位置ばかりでなく、その押されて電気装置をオンにさせる正確な一方をもユーザーに明らかに知らせることができるロッカースイッチを提供しようとすることを目的とする。
【課題を解決するための手段】
【０００７】
上記目的を達成するために、本発明は、まず、そのロッカーアーム装置の両端上面のいずれにも指示手段が設置されており、且つ、前記ロッカーアーム装置の両端近くのいずれかの一方が上面から押されてそれと連接している前記電気装置をオフにした場合、他端だけの指示手段を同時にオンにさせることができるように構成されていることを特徴とするロッカースイッチを提供し、
特に、その両端下面部にそれぞれ接点手段が一つ設けてあるロッカーアーム装置と前記ロッカーアーム装置の下面側に前記２の接点手段にそれぞれ対応するように設置されている２の電気接点とを備えていて前記ロッカーアーム装置の両端近くのいずれかが正面から押されると他端の接点手段がそれと対応している電気接点と互いに接触し、それと連接している電気装置をオン／オフすることができるロッカースイッチにおいて、前記ロッカーアーム装置の両端上面のいずれにも指示手段が設置されており、且つ、前記ロッカーアーム装置の両端近くのいずれかの一方が上面から押されて他端の接点手段がそれと対応している電気接点と接触して前記電気装置をオフにした場合、他端だけの指示手段を同時にオンにさせることができるように構成されていることを特徴とするロッカースイッチを提供する。
【０００８】
また、それに基づき、本発明は、更に、前記ロッカーアーム装置の両端上面にそれぞれ設置されている前記指示手段は、該両端上面にそれぞれ設けてある透光窓と、該ロッカーアーム装置の両端上面の前記透光窓の下面側にそれぞれ形成してあるランプ室と、該ランプ室のそれぞれの内部に設置されているランプとからなった指示ランプ装置の、前記ランプの投光により透光することができるようになった前記透光窓からなっているロッカースイッチ、及び、該両端上面にそれぞれ設けてある透光窓と、該ロッカーアーム装置の下面側に、その一端部にランプが設置されており、且つ該端部が前記２の透光窓の間に揺動できるように設置される上、前記ロッカーアーム装置の両端近くのいずれかの一方が上面から押されて他端の接点手段がそれと対応している電気接点と接触して前記電気装置を消した場合、前記ランプをオンにさせると同時に、該ランプのある端部を該ロッカーアームの他端にある透光窓の方に揺らして該ランプの投光を該他端にある透光窓を通過させるように設置構成されている揺動ランプ手段とからなった指示ランプ装置の、前記ランプの投光により透光することができるようになった前記透光窓とからなっているロッカースイッチの２種類の形態を提供する。
【発明の効果】
【０００９】
上記構成による本発明のロッカースイッチは、前記ロッカーアーム装置の両端上面のいずれにも指示手段が設置されており、且つ、前記ロッカーアーム装置の両端近くの一方が上面から押されて前記電気装置をオフにした場合、他端だけの指示手段を同時にオンにさせることができるように構成されているので、電気装置、特に照明装置のオフ時にその全体の位置ばかりでなく、その押されて電気装置をオンにさせる正確な一方をもユーザーに明らかに知らせることができる。
【発明を実施するための最良の形態】
【００１０】
以下、図面を参照しながら，本発明に係るロッカースイッチの一実施形態を説明する。
【００１１】
図１乃至図４に示すように、本発明の第一の実施形態としてのロッカースイッチは、その外観が従来のロッカースイッチとほぼ同じように、左右両端を有するロッカーアーム装置２と、上へ開口する開口部を有し、周囲に化粧枠２３９を配置した前記ロッカーアーム装置２を下からその上面近くの部分だけが露出し且つその左右両端がそれぞれ上下浮沈するロッキング運動をすることができるように収納保持している上、その下面に左右一対の電気装置（図示せず）や電源などの導線と連接するための端子孔３４（図３参照）が開設してあるボディ３とを備えている。前記一対の端子孔３４の左の一つの中に接点端子３２１が、右の一つの中に通用端子３２２が設置されている。
【００１２】
前記図面をもっと詳しくみると、ロッカーアーム装置２の上下浮沈する左右両端の下面部にそれぞれ左右の方向に向かいながら他の一つを背にした一対の接点手段２１が設けてあり、また、ボディ３の内部に隔壁３１によって仕切られている上、前記ロッカーアーム装置２の２の接点手段２１を収納している区画３５があり、該区画３５の内部には一対の電気接点３３がそれぞれ左右の両側から前記２の接点手段２１中のそれに近い一つに臨むように設置されている（即ち、該一対の電気接点３３の右の一つは右の接点手段２１と、また左の一つは左の接点手段２１と対称している）。前記一対の電気接点３３はいずれも左の端子孔内に設置されている接点端子３２１と連接している。
【００１３】
特に、図３及び図４を参照するように、ロッカーアーム装置２とその下面部にある一対の接点手段２１とは、ロッカーアーム装置２の両端近くのいずれかの一方（例えば図中における左端近く）が上面から押されると、この一方の接点手段２１（例えば図中における左側の接点手段２１）がそれに臨んでいる電気接点３３（例えば図中における左側の電気接点３３）から離れると共に他方（例えば図中における右の方）にある接点手段２１（例えば図中における右側の接点手段２１）がそれに臨んでいる電気接点３３（例えば図中における右側の電気接点３３）へ移動して該電気接点３３と接触する切替え構成になっている。
【００１４】
以上の構成により、この実施形態のロッカースイッチは、従来のロッカースイッチと同様に、一対の端子孔３４により他のロッカースイッチ、照明装置などの電気装置及び電源と接続し、且つ外部配線により、電気装置を２の外部回路の共通部分に、２のロッカースイッチ１をそれぞれ前記のような押圧による切替えで該２の外部回路を順番に開閉させることができるように配置されることができる。
【００１５】
また、特に図２を参照するように、ロッカーアーム装置２の下面側に、その上面の両端近くにそれぞれランプ２３３が設けられており、その下面の両端近くにそれぞれ他端のランプ２３３に接続されている一対の接触部２４１が設けられている回路基板２４が、ロッカーアーム装置２のロッキング運動と共に揺動できるように設置されており、また、特に図３及び図４を参照するように、回路基板２４の更なる下面側に、ロッカーアーム装置２の両端近くのいずれかの一方が上面から押されて他端の接点手段２１がそれに臨んでいる電気接点３３と接触した場合、弾接により前記一方にある一対の接触部２４１を導通させる一対の突出端子２５が設置構成されている。該一対の突出端子２５はいずれもその一端が対応の接点端子３２１と連接しており、他端が通用端子３２２の方へ延びている。
【００１６】
回路基板２４は、従来のように、前記２つの外部回路のいずれかが導通されている場合、指示ランプがオフになり、一旦２の外部回路のいずれも切断されると指示ランプがオンになる論理構成になっているが、この実施形態のロッカースイッチおける指示ランプとしてのランプ２３３は、従来のように単一あるのではなく、左右両端それぞれ一つずつあり、即ち併せて二つある上、ロッカーアーム装置２の両端近くのいずれかの一方が上面から押されて一対の突出端子２５によって導通されるこの一方にある一対の接触部２４１は、この一方のランプ２３３ではなく、他方のランプ２３３だけを導通して前記論理回路に投入し従来の指示ランプとする。即ち、この状態において、２つの外部回路のいずれも切断されると前記他方の浮上しているランプ２３３だけがオンになる。
【００１７】
一方、ロッカーアーム装置２の両端上面のいずれにも透光窓２３１が設けてあり、いずれの透光窓２３１の下面側にもランプ室２３２が形成してある。前記左右２つのランプ２３３はそれぞれそれに対応しているランプ室２３２の内部に配置されている。即ち、透光窓２３１とランプ室２３２とランプ２３３とは指示ランプ装置２３を構成しているが、該指示ランプ装置２３の外観からみえるのは、透光窓２３１と透光窓２３１を通過するランプ２３３の投光だけであり、即ち透光窓２３１はランプ２３３の投光により透光することができるようになり、ロッカーアーム装置２の両端上面に設置されている指示手段２２になっている。そして、透光窓２３１の外形はユーザーに押圧方向についての情報を提供することができる特殊な形状、例えばその一角またはその矢先が該透光窓２３１のロッカーアーム装置２に存在している一端が浮上端となる時、該浮上端側へ指す三角形（図１参照）または矢印（図示せず）などの指標を兼ねる形状であるのが好ましい。
【００１８】
叙上のように、この実施形態のロッカースイッチは、外部配線と併せて２またはそれ以上の箇所から一つの電気装置をオン／オフさせるように制御する場合、電気装置をオンにさせる正確な一方をもユーザーに明らかに知らせることができることがよく分かる。
【００１９】
次に、本発明の第二の実施形態を挙げる。図５ないし図７に示すように、本発明の第二の実施形態のロッカースイッチは、前記第一の実施形態のロッカースイッチと同様に、ロッカーアーム装置２とボディ３とを備えている上、他の詳細な構成も前記第一の実施形態のロッカースイッチと大体同じであるので、同一の部品に同一の符号を付け、且つ指示ランプ装置２３の設置方式及び接続などの特に異なるところだけを中心として説明する。
【００２０】
この実施形態における指示ランプ装置２３は、図示のように、ロッカーアーム装置２の両端上面にそれぞれ設けてある透光窓２３４と、ロッカーアーム装置２の下面側に、その一端部にランプ２３５が設置されており、且つ該端部が２つの透光窓２３４の間に揺動できるように設置される上、ロッカーアーム装置２の両端近くのいずれかの一方が上面から押されて他端の接点手段２１がそれに臨んでいる電気接点３３と接触して電気装置をオフにした場合、ランプ２３５をオンにさせると同時に、ランプ２３５のある端部を連動手段２６によりロッカーアーム２の他端にある透光窓２３４の方に揺らしてランプ２３５の投光を他端にある透光窓２３４を通過させるように設置して構成されている揺動ランプ手段２３６とからなっている。それにより、透光窓２３４はランプ２３５の投光により透光することができるようになり、ロッカーアーム装置２の両端上面に設置されている指示手段２２になっている。
【００２１】
ここで、連動手段２６は、その一端がロッカーアーム装置２に固定されており他端が下のボディ３へ延伸している連桿２６１と、連桿２６１の他端に連結されている上、揺動ランプ手段２３６を周りから囲んでいてロッカーアーム装置２の左右両端の一方が押されるとロッカーアーム装置２のロッキング運動に連動してそれによる押圧により揺動ランプ手段２３６の上端を他方に揺らすことができる枠２６２とを備えている。
【００２２】
一方、本実施形態における揺動ランプ手段２３６は、その上端にランプ２３５が設置されると共に枠２６２に嵌挿されているパイプ２３７と、ランプ２３５を点灯したり消したりすることができるようにその両端がそれぞれランプ２３５の下端と接点端子３２１とに接続されている２の導線２３８（導線２３８の接点端子３２1と接続される部分が図示しない）とから構成されている。
【００２３】
以下、前記第一の実施形態と異なるところを中心にこの実施形態の照明装置に使用される際の動作を説明する。図６乃至図７に示すように、ロッカーアーム装置２の左端近くが上面から押されると、連動手段２６の枠２６２がロッカーアーム装置２のロッキング運動により右に揺動すると共に、その左端縁で揺動ランプ手段２３６の上端部を押して右の透光窓２３４の方に揺らすことができる。その時、第一の実施形態と同じように、もし外部配線でロッカースイッチと連接している照明装置がオフになると、ランプ２３５がオンになる上、その投光を右の透光窓２３４から漏らして透光窓２３４を透光状態になさせ、ロッカーアーム装置２の浮上している一方を目立つようにさせることができる。
【００２４】
叙上のように、この実施形態のロッカースイッチも、第一の実施形態と同じように、外部配線と併せて２またはそれ以上の箇所から一つの電気装置をオン／オフさせるように制御する場合、電気装置をオンにさせる正確な一方をもユーザーに明らかに知らせることができることがよく分かる。
【産業上の利用可能性】
【００２５】
前記いずれの実施形態の構成によりも、本発明のロッカースイッチは、外部配線と併せて２またはそれ以上の箇所から一つの電気装置をオン／オフさせるように制御する場合、電気装置をオンにさせる正確な一方をもユーザーに明らかに知らせることができるので、照明装置に使用される場合、照明装置がついていない暗い内に、その所在位置だけでなく、照明装置をオンにさせる押圧位置をもユーザーに明示することができる。
【図面の簡単な説明】
【００２６】
【図１】本発明の第一の実施形態のロッカースイッチを示す分解斜視図。
【図２】本発明の第一の実施形態のロッカースイッチを示す一部分解斜視図。
【図３】そのロッカーアーム装置の左端が上面から押された本発明の第一の実施形態のロッカースイッチの状態を示す断面図。
【図４】そのロッカーアーム装置の右端が上面から押された本発明の第一の実施形態のロッカースイッチの状態を示す断面図。
【図５】本発明の第二の実施形態のロッカースイッチを示す一部分解斜視図。
【図６】そのロッカーアーム装置の左端が上面から押された第二の実施形態のロッカースイッチの状態を示す断面図。
【図７】そのロッカーアーム装置の右端が上面から押された第二の実施形態のロッカースイッチの状態を示す断面図。
【符号の説明】
【００２７】
２    …ロッカーアーム装置
２１  …接点手段
２２  …指示手段
２３  …指示ランプ装置
２３１…透光窓
２３２…ランプ室
２３３…ランプ
２３４…透光窓
２３５…ランプ
２３６…揺動ランプ手段
２３７…パイプ
２３８…導線
２４  …回路基板
２４１…接触部
２５  …突出端子
２６  …連動手段
２６１…連桿
２６２…枠
３    …ボディ
３１  …隔壁
３２１…接点端子
３２２…通用端子
３３  …電気接点
３４  …端子孔
３５  …区画
【図１】
2007087715.tif 000003
【図２】
2007087715.tif 000004
【図３】
2007087715.tif 000005
【図４】
2007087715.tif 000006
【図５】
2007087715.tif 000007
【図６】
2007087715.tif 000008
【図７】
2007087715.tif 000009